(57)【特許請求の範囲】
【請求項１】
列車の車両に搭載される列車搭載映像表示システムであって、
所定の車両に設けられ、音声情報を含む映像情報を出力する映像情報配信手段と、
前記映像情報を伝達する伝送路と、
該伝送路を分岐する分岐手段と、
前記伝送路に接続されて前記映像情報を受信し、前記映像情報が特定のコンテンツであるときには、前記映像情報に基づく画像情報の表示及び音声の出力を行い、前記映像情報が特定のコンテンツ以外のコンテンツであるときには、音声出力をすることなく前記映像情報に基づく画像情報の表示を行う表示手段と、
前記映像情報に含まれる音声情報を無線により配信する送出手段と、
前記送出手段により配信された前記音声情報を受信し、前記表示手段に表示される画像情報に関連する音声を出力する音声聴取手段と
を有することを特徴とする列車搭載映像表示システム。
【請求項２】
前記音声聴取手段は、個人聴取用のスピーカであることを特徴とする請求項１記載の列車搭載映像表示システム。
【請求項３】
前記送出手段が前記表示手段内に設けられていることを特徴とする請求項１に記載の列車映像表示システム。
【請求項４】
前記表示手段は、
前記映像情報を受信する映像情報受信手段と、
受信した前記音声情報を無線により配信する音声情報送出手段と、
受信した前記映像情報を、前記画像情報と前記特定のコンテンツの音声情報とに変換する映像情報変換手段と、
前記画像情報を表示させる映像情報表示手段と、
前記特定のコンテンツの音声情報の音声出力を行う音声出力手段と
を有することを特徴とする請求項３に記載の列車搭載映像表示システム。
【請求項５】
列車の車両に搭載される列車搭載映像表示システムであって、
所定の車両に設けられ、音声情報を含む映像情報を出力する映像情報配信手段と、
前記映像情報を伝達する伝送路と、
該伝送路を分岐する分岐手段と、
前記伝送路に接続されて前記映像情報を受信し、前記映像情報が特定のコンテンツであるときには、前記映像情報に基づく画像情報の表示及び音声の出力を行う表示手段と、
前記伝送路に接続されて、前記映像情報が特定のコンテンツ以外のコンテンツであるときには前記映像情報を無線により配信する映像送出親局と、
無線により配信された前記映像情報を受信して前記映像情報に含まれる前記画像情報の表示、及び音声情報の音声出力を行う映像視聴手段と
を有することを特徴とする列車搭載映像表示システム。
【請求項６】
前記映像視聴手段は、個人視聴用の装置であることを特徴とする請求項５記載の列車搭載映像表示システム。
【発明の詳細な説明】
【０００１】
【発明の属する技術分野】
本発明は、列車の客室車両内において、乗客に音声付映像で各種情報を提供する列車搭載映像表示システムに関する。
【０００２】
【従来の技術】
図８は、従来の列車搭載映像表示システムを模式的に示す要部構成図である。
同図中、１００は連結された列車の各車両を示し、１０１は各車両、或いは特定の車両に設けられ、音声を含む映像情報を配信する映像情報配信装置、１０２は、車両内の全ての乗客が視聴できるように、各車両に１台或いは複数台設けられ、音声を含む映像情報を受信し、この受信情報を表示し、且つ音声情報の音声出力をする表示装置である。
【０００３】
１０３は映像情報配信装置１０１から表示装置１０２へ音声を含む映像情報を伝える伝送路、１０４は表示装置１０２が複数台存在する際に、伝送路を分岐する分岐器である。
【０００４】
図９は、表示装置１０２の内部構成を示す構成図である。
同図中、１１３は伝送路１０３を伝わってきた音声を含む映像信号を受信する映像情報受信部、１１２は映像情報受信部１１３が受信した映像情報を画像信号と音声信号とに変換する映像情報変換部、１１１は映像情報変換部１１２によって変換された画像信号を表示する映像表示部、１１０は映像情報変換部１１２によって変換された音声信号を出力する音声出力部である。
【０００５】
以上の構成において、その動作について以下に説明する。
映像情報配信装置１０１が出力する音声を含む映像信号は、伝送路１０３を伝わって表示装置１０２に配信される。また同図に示すように表示装置１０２が複数配設されている場合は、伝送路１０３を分岐器１０４によって分岐することにより、これらの各表示装置１０２に略同条件で配信される。
【０００６】
各表示装置１０２の映像情報受信部１１３（図９）は、伝送路１０３を伝わって配信された映像情報を受信する。映像情報変換部１１２は、映像情報受信部１１３により受信された映像情報を画像信号と音声信号に変換する。変換された画像信号は映像表示部１１１で表示され、変換された音声信号は音声出力部１１０から出力される。
【０００７】
【発明が解決しようとする課題】
以上のような従来の列車搭載映像表示システムの構成では、映像情報のコンテンツの種類によっては、その音声情報がある乗客にとっては必要なく、迷惑な騒音に変ってしまう場合がある。そのため、乗り換え案内、次駅案内などの殆どの乗客が必要とするコンテンツを除いて、提供できるコンテンツの種類が、音声を含まないものに制限されるという問題があった。
【０００８】
また、表示装置を各客席毎に備えようとすると、それに伴なって配線コストも増加し、メンテナンスも容易でなくなる問題があった。
【０００９】
本発明の目的は、コンテンツを乗客に配信する際の上記の不都合を解消し、全ての客に必要な情報はもらすことなく案内し、そうでないコンテンツの音声または画像の映像情報を、希望する客にのみ配信できるシステムを提供すると共に、その導入に際しての不要なコストアップを抑えることのできる列車搭載映像表示システムを提供することにある。
【００１０】
【課題を解決するための手段】
本発明による列車搭載映像表示システムは、列車の車両に搭載される列車搭載映像表示システムであって、
所定の車両に設けられ、音声情報を含む映像情報を出力する映像情報配信手段と、前記映像情報を伝達する伝送路と、該伝送路を分岐する分岐手段と、前記伝送路に接続されて前記映像情報を受信し、前記映像情報が特定のコンテンツであるときには、前記映像情報に基づく画像情報の表示及び音声の出力を行い、前記映像情報が特定のコンテンツ以外のコンテンツであるときには、音声出力をすることなく前記映像情報に基づく画像情報の表示を行う表示手段と、前記映像情報に含まれる音声情報を無線により配信する送出手段と、前記送出手段により配信された前記音声情報を受信し、前記表示手段に表示される画像情報に関連する音声を出力する音声聴取手段と
を有することを特徴とする。
【００１１】
本発明による別の列車搭載映像表示システムは、列車の車両に搭載される列車搭載映像表示システムであって、
所定の車両に設けられ、音声情報を含む映像情報を出力する映像情報配信手段と、前記映像情報を伝達する伝送路と、該伝送路を分岐する分岐手段と、前記伝送路に接続されて前記映像情報を受信し、前記映像情報が特定のコンテンツであるときには、前記映像情報に基づく画像情報の表示及び音声の出力を行う表示手段と、前記伝送路に接続されて、前記映像情報が特定のコンテンツ以外のコンテンツであるときには前記映像情報を無線により配信する映像送出親局と、無線により配信された前記映像情報を受信して前記映像情報に含まれる前記画像情報の表示、及び音声情報の音声出力を行う映像視聴手段と
を有することを特徴とする。
【００１６】
【発明の実施の形態】
実施の形態１．
図１は、本発明による実施の形態１の列車搭載映像表示システムを模式的に示す要部構成図である。
【００１７】
同図中、１００は連結された列車の各車両を示し、１０１は列車の各車両、或いは先頭車両などの特定車両に設けられ、音声を含む映像情報を列車内に配信する映像情報配信手段としての映像情報配信装置である。１０は車両内の全ての乗客が視聴できるように、各車両に１台或いは複数台設けられ、音声を含む映像情報を受信し、この受信情報を表示し、且つ音声を出力すると共に、無線等の有線によらない方法で音声情報を送信する表示手段としての表示装置である。
【００１８】
１０３は、映像情報配信装置１０１から表示装置１０へ音声を含む映像情報を伝える伝送路、１０４は、表示装置１０が複数台存在する際に、伝送路を分岐する分岐手段としての分岐器である。１２は、例えば所望する乗客に配られ、無線等の有線によらない方法で送信された音声情報を受信し、個人聴取用のスピーカなどで音声出力する、音声聴取手段に相当する音声聴取装置である。
【００１９】
図２は、表示装置１０の内部構成を示す構成図である。
【００２０】
同図中、２２は伝送路１０３を伝わってきた音声を含む映像信号を受信する映像情報受信手段としての映像情報受信部、１１２は映像情報受信部２２が受信した映像情報を画像信号と音声信号とに変換する映像情報変換手段に相当する映像情報変換部、１１１は映像情報変換部１１２によって変換された画像信号を表示する映像情報表示手段に相当する映像表示部である。
【００２１】
１１０は映像情報変換部１１２によって変換された音声信号の音声を出力する音声出力手段としての音声出力部である。２１は、映像情報受信部２２が受信した音声情報を無線等の有線によらない方法で車両内に配信するための音声情報送出手段に相当する音声情報送出部である。
【００２２】
図３は、映像情報配信装置１０１の内部構成を示す構成図である。
【００２３】
同図中、１２５は、配信する映像情報を蓄積する蓄積手段としての蓄積部であり、１２６は蓄積部に蓄積された映像情報を列車内に配信する映像情報送信手段に相当する映像情報送信部である。
【００２４】
以上の構成において、その動作について以下に説明する。
映像情報配信装置１０１は、図３に示す蓄積部１２５に蓄積されたコンテンツを映像情報送信部１２６によって列車内に配信する。映像情報送信部１２６が出力する音声を含む映像信号は、伝送路１０３を伝わって表示装置１０に配信される。また同図に示すように表示装置１０が複数配設されている場合は、伝送路１０３を分岐器１０４によって分岐することにより、これらの各表示装置１０に、信号劣化することなく略同条件で映像信号を配信できる。
【００２５】
表示装置１０は、伝送路１０３を伝わって配信された映像情報を受信して表示する。この際、先ず図２に示す映像情報受信部２２が音声を含む映像情報を受信し、映像情報変換部１１２が音声信号と映像信号に変換する。変換された映像情報は映像表示部１１１により表示され、また変換された音声信号は音声出力部１１０から音声出力される。また、映像情報受信部２２が受信した音声情報は、音声情報送出部２１によって無線等の有線によらない方法で送信され、音声聴取装置１２によって受信されて聴取される。
【００２６】
但し、この映像情報変換部１１２は、受信する映像情報のコンテンツが、乗り換え案内、次駅案内などの殆どの乗客が必要とする特定のコンテンツの場合のみ音声信号に変換して音声出力部１１０で音声出力させ、映画や歌などのエンターテイメント性があって、一部の乗客のみがその音声情報を希望するコンテンツの場合には、音声信号に変換しない。従って、このような場合に音声の聴取を希望する乗客は、予め音声聴取装置１２を借り受けてヘッドフォンやイヤフォンなどで音声を聴取する。
【００２７】
以上のように、実施の形態１の列車搭載映像表示システムによれば、全ての乗客が必要な音声情報は、表示装置のスピーカから車両内に案内され、特定の乗客のみが聴取を希望する音声情報は無線によって個別に配信できる。従って、車内のその他の乗客が不要な音によって迷惑を受けるのを防ぐことができる。また、個別に配信する音声情報は無線によって行われるため、配線の必要がないため、設備コスト、或いは装置のメンテナンスの面で有利となる。
【００２８】
実施の形態２．
図４は、本発明による実施の形態２の列車搭載映像表示システムを模式的に示す要部構成図である。
【００２９】
本実施の形態２の列車搭載映像表示システムが、前記した図１に示す実施の形態１の列車搭載映像表示システムに対して異なる点は、表示装置１０が図９に示す従来の表示装置１０２で構成されている点と、新たに音声送出親局３０が追加された点である。従って、図１に示す実施の形態１、及び図８に示す従来の列車搭載映像表示システムと同一、或いはそれに相当する部分には同一符号を付して説明を省略し、異なる点を重点的に説明する。
【００３０】
表示装置１０２は、図９の構成図で説明したように、伝送路１０３を伝わってきた音声を含む映像信号を映像情報受信部１１３で受信し、受信した映像情報を映像情報受信手段としての映像情報変換部１１２によって画像信号と音声信号とに変換する。映像表示部１１１は変換された画像信号を表示し、音声出力部１１０は変換された音声信号の音声を出力する。
【００３１】
３０は、各車両に設けられ、音声情報を無線等の有線によらない方法で送信する音声送出親局である。図５は、この音声送出親局３０の内部構成を示す構成図である。
【００３２】
同図中、３２は、伝送路１０３に接続されて音声情報を受信する音声情報受信手段に相当する音声情報受信部であり、２１は、音声情報受信部が受信した音声情報を無線等の有線によらない方法で、車両内に配信するための音声情報送出手段に相当する音声情報送出部である。
【００３３】
以上の構成において、その動作について以下に説明する。
各表示装置１０２は、図９に示すその映像情報受信部１１３が、伝送路１０３を伝わって配信された映像情報を受信する。そして映像情報変換部１１２によって、映像情報受信部１１３が受信した映像情報を音声信号と画像信号に変換する。変換された画像信号は映像表示部１１１で表示され、変換された音声信号は音声出力部１１０から音声出力される。
【００３４】
音声送出親局３０は、伝送路１０３によって分岐器１０４に接続され、その音声情報受信部３２が映像情報の音声情報を受信して音声情報送出部２１によって、無線等の有線によらない方法で送信される。送信された音声情報は、音声聴取装置１２によって受信されて聴取される。
【００３５】
但し、上記した映像情報変換部１１２は、受信する映像情報のコンテンツが、乗り換え案内、次駅案内などの殆どの乗客が必要とする特定のコンテンツの場合のみ音声信号に変換して音声出力部１１０で音声出力させ、映画や歌などのエンターテイメント性があって、一部の乗客のみがその音声情報を希望するコンテンツの場合には、音声信号に変換しない。従って、このような場合に音声の聴取を希望する乗客は、予め音声聴取装置１２を借り受けてヘッドフォンやイヤフォンなどで音声を聴取する。
【００３６】
以上のように、実施の形態２の列車搭載映像表示システムによれば、実施の形態１と同様の効果が得られる他、複数設ける表示装置を従来のものと変らなく構成できるため、本システムを備える際のコストアップに対して実施の形態１の場合より有利となる。
【００３７】
実施の形態３．
図６は、本発明による実施の形態３の列車搭載映像表示システムを模式的に示す要部構成図である。
【００３８】
本実施の形態３の列車搭載映像表示システムが、前記した図４に示す実施の形態２の列車搭載映像表示システムに対して異なる点は、音声送出親局３０に代わって映像送出親局３４が、また音声聴取装置１２に代わって映像視聴装置３５がそれぞれ配設されている点である。
【００３９】
従って、本実施の形態３の列車搭載映像表示システムが、前記した図４に示す実施の形態２の列車搭載映像表示システムと同一、或いはそれに相当する部分には同一符号を付して説明を省略し、異なる点を重点的に説明する。
【００４０】
３４は、各車両に設けられて音声を含む映像情報を無線等の有線によらない方法で車両内に送信する映像送信親局であり、３５は、無線等の有線によらない方法で送信された音声を含む映像情報を受信して映像表示及び音声出力する映像視聴手段に相当する個人視聴用の映像視聴装置である。
【００４１】
図７は、映像送出親局３４の内部構成を示す構成図である。
【００４２】
同図中、１１３は、伝送路１０３に接続されて音声を含む映像情報を受信する映像情報受信手段に相当する映像情報受信部であり、３６は、映像情報受信部１１３が受信した音声を含む映像情報を無線等の有線によらない方法で送信する映像情報送出手段に相当する映像情報送出部である。
【００４３】
以上の構成において、その動作について以下に説明する。
映像送出親局３４は、伝送路１０３により分岐器１０４に接続され、図７に示すその映像情報受信部１１３が、音声を含む映像情報を受信し、この受信した映像情報を映像情報送出部３６によって無線等の有線によらない方法で車両内に配信する。配信されたこの映像情報は、映像視聴装置３５によって受信されて、視聴される。
【００４４】
従って、映像情報のコンテンツが、乗り換え案内、次駅案内などの殆どの乗客が必要とする特定のコンテンツの場合には表示装置１０２から案内され、映画や歌などのエンターテイメント性があって、一部の乗客のみがその映像情報を希望するコンテンツの場合には、映像情報の視聴を希望する乗客は、予め映像視聴装置３５を借り受けて液晶画面やヘッドフォンやイヤフォンなどで、映像情報を視聴する。
【００４５】
以上のように、実施の形態３の列車搭載映像表示システムによれば、全ての乗客が必要な映像情報は、表示装置から車両内に案内され、特定の乗客のみが視聴を希望する映像情報は無線によって個別に配信できる。従って、車内のその他の乗客が不要な画像や音によって迷惑を受けるのを防ぐことができる。また、個別に配信する音声情報は無線によって行われるため、配線の必要がないため、設備コスト、或いは装置のメンテナンスの面で有利となる。
【００４６】
尚、前記実施の形態では、音声聴取措置或いは映像視聴装置は、予め借り受けるように説明したが、これに限定されるものではなく、各客席にそれぞれ備えるように構成しても良いし、市販の小型ラジオや小型テレビで視聴できるように、音声送出親局や映像送出局を構成してもよい。
【００４７】
また、前記各実施の形態では、有線によらない配信方法として無線を例にしたが、これに限定されるものではなく、光や赤外線を利用した配信方法を採用してもよいなど、種々の態様を取り得るものである。
【００４８】
【発明の効果】
請求項１のシステムによれば、車両内の全ての乗客が必要な、例えば乗り換え案内、次駅案内などの音声情報は、表示装置のスピーカから車両内に流し、映画や歌番組等のエンターテイメント性のコンテンツを配信する場合は、希望者のみが無線により音声を聴取出来るように設定できる。これにより、車両内の乗客が不要な音によって迷惑を受けることを防ぐことができる。また、個別に配信する音声情報は無線によって行われるため、配線の必要がない。
【００４９】
更に、複数設ける表示装置を、従来のものと同様に構成できるため、本システムを備える際のコスト面で有利となる。
【００５０】
請求項５のシステムによれば、車両内の全ての乗客が必要な、例えば乗り換え案内、次駅案内、ニュースなどの映像情報は、表示装置によって車両内に流し、映画や歌番組等のエンターテイメント性のコンテンツを配信する場合は、希望者のみが無線により映像情報を視聴出来るように設定できる。これにより、車両内の乗客が不要な映像や音によって迷惑を受けることを防ぐことができる。また、個別に配信する映像情報は無線によって行われるため、配線の必要がない。
【図面の簡単な説明】
【図１】  本発明による実施の形態１の列車搭載映像表示システムを模式的に示す要部構成図である。
【図２】  表示装置１０の内部構成を示す構成図である。
【図３】  映像情報配信装置１０１の内部構成を示す構成図である。
【図４】  本発明による実施の形態２の列車搭載映像表示システムを模式的に示す要部構成図である。
【図５】  音声送出親局３０の内部構成を示す構成図である。
【図６】  本発明による実施の形態３の列車搭載映像表示システムを模式的に示す要部構成図である。
【図７】  映像送出親局３４の内部構成を示す構成図である。
【図８】  従来の列車搭載映像表示システムを模式的に示す要部構成図である。
【図９】  表示装置１０２の内部構成を示す構成図である。
【符号の説明】
１０  表示装置、  １２  音声聴取装置、  ２１  音声情報送出部、  ２２  映像情報受信部、  ３０  音声送出親局、  ３２  音声情報受信部、  ３４  映像送出親局、  ３５  映像視聴装置、  ３６  映像情報送出部、  １００  車両、  １０１  映像情報配信装置、  １０２  表示装置、  １０３  伝送路、  １０４  分岐器、  １１０  音声出力部、  １１１  映像表示部、  １１２  映像情報変換部、  １１３  映像情報受信部、  １２５  蓄積部、  １２６  映像情報送信部。
【図１】
0004169525.tif 000002
【図２】
0004169525.tif 000003
【図３】
0004169525.tif 000004
【図４】
0004169525.tif 000005
【図５】
0004169525.tif 000006
【図６】
0004169525.tif 000007
【図７】
0004169525.tif 000008
【図８】
0004169525.tif 000009
【図９】
0004169525.tif 000010